(57)【要約】【課題】オフィス内での利用比率が高い画像形成装置とマイナスイオン発生装置とを一つのオフィス機器として協動させることによって省エネルギー化を図るとともに、オフィス内への従業員等の健康増進に寄与する画像形成装置を提供する。【解決手段】給紙装置１８から引き出された用紙にトナー像を転写し、定着装置１６にてトナー像を定着するようにした電子写真方式の画像形成装置４０において、該画像形成装置４０内部にマイナスイオン発生装置３８を設け、該マイナスイオン発生装置３８に高圧電位を印加する高圧電源３５を、コロナ放電式に構成された帯電器２３及び転写器１７に高圧電位を印加する高圧電源３５と共用化した。【選択図】図１
2005099505.tif 000002
【特許請求の範囲】
【請求項１】
給紙装置から引き出された用紙にトナー像を転写し、定着装置にてトナー像を定着するようにした電子写真方式の画像形成装置において、
該画像形成装置の内部にマイナスイオン発生装置を設けたことを特徴とするマイナスイオン発生装置付画像形成装置。
【請求項２】
前記画像形成装置の感光体ドラム表面を負帯電する帯電器と、トナー像を転写する転写器に高圧電位を印加する高圧電源を備え、
前記帯電器及び転写器に高圧電位を印加する高圧電源を、マイナスイオン発生装置に高圧電位を印加する高圧電源としても用いることを特徴とする請求項１に記載のマイナスイオン発生装置付画像形成装置。
【請求項３】
前記帯電器及び転写器の少なくとも何れか一方をコロナ放電式に構成したことを特徴とする請求項２に記載のマイナスイオン発生装置付画像形成装置。
【発明の詳細な説明】
【技術分野】
【０００１】
本発明は、ファクシミリ、複写機、プリンタ、複合機等の電子写真方式を使用した画像形成装置に関する。
【背景技術】
【０００２】
従来、ファクシミリ、複写機、プリンタ、複合機等の画像形成装置において、電子写真方式を使用するものが公知となっている。一般的に、画像形成装置には給紙装置、現像装置、感光装置、定着装置等を備え、給紙装置にて給紙される用紙にトナー像を転写して、定着装置にてトナー像を定着するようにしている。感光装置において、感光体ドラムの帯電や転写器の帯電にはコロナ放電式やローラ帯電式が知られており、特にコロナ放電式で感光体ドラムの帯電や転写器の帯電を行うためには高圧電源が用いられる。このような画像形成装置を有する上記機器は主としてオフィス内で使用されているものである。
【０００３】
また、オフィス内の空気清浄や、従業員の疲労回復や健康増進を図るために、近年ではオフィス内にマイナスイオン発生装置を設置することが多くなっている。マイナスイオンは空気清浄機等に用いられるとともに、人体に対して良好に作用し各種生理的機能を促進させ、健康増進に寄与することで知られているものである（例えば、特許文献１参照。）。
マイナスイオン発生装置においては多数の従来技術が公開されているものであるが、一般的なマイナスイオン発生装置は、正極の平板電極と負極の針状電極を有し、平板電極の板面に対して針状電極を直交する方向に位置させ、針状電極に高圧電位を印加して両電極間にコロナ放電を生じさせることで、両極間の雰囲気中にマイナスイオンを発生させるようにしている（例えば、特許文献２参照。）。そして、コロナ放電を発生させるためには、高圧電源が必要となっている。
【０００４】
【特許文献１】特開平１０−４３６２８号公報
【特許文献２】特開平１１−１９２０１号公報
【発明の開示】
【発明が解決しようとする課題】
【０００５】
上記のオフィス内での需要が高い画像形成装置及び、マイナスイオン発生装置にはそれぞれ高圧電源が用いられている。
そこで、本発明においては、画像形成装置における帯電手段に必要な高圧電源を、マイナスイオン発生装置に要する高圧電源に兼用することで、画像形成装置とマイナスイオン発生装置との全体の製造コストの低減を実現するものである。
また、上記の如くオフィス内での利用比率が高い画像形成装置とマイナスイオン発生装置とを一つのオフィス機器として協動させることによって省エネルギー化を図るものである。そして、オフィス内の人の疲労回復や健康増進に寄与する画像形成装置を提供するものである。
【課題を解決するための手段】
【０００６】
本発明の解決しようとする課題は以上の如くであり、次にこの課題を解決するための手段を説明する。
【０００７】
即ち、請求項１においては、給紙装置から引き出された用紙にトナー像を転写し、定着装置にてトナー像を定着するようにした電子写真方式の画像形成装置において、該画像形成装置の内部にマイナスイオン発生装置を設けたものである。
【０００８】
請求項２においては、前記画像形成装置の感光体ドラム表面を負帯電する帯電器と、トナー像を転写する転写器に高圧電位を印加する高圧電源を備え、前記帯電器及び転写器に高圧電位を印加する高圧電源を、マイナスイオン発生装置に高圧電位を印加する高圧電源としても用いるものである。
【０００９】
請求項３においては、前記帯電器及び転写器の少なくとも何れか一方をコロナ放電式に構成したものである。
【発明の効果】
【００１０】
本発明の効果として、以下に示すような効果を奏する。
【００１１】
請求項１においては、画像形成装置にマイナスイオン発生装置の機能を付加することができ、画像形成装置を内装するＦＡＸ、複写機、プリンタ、複合機等が主に設置されるオフィス内において、空気清浄効果やオフィス内の従業員等の健康増進を図ることができる。
【００１２】
請求項２、３においては、マイナスイオン発生装置用の高圧電源と画像形成装置における電子写真印字装置用の高圧電源とを別に設ける必要がないため、画像形成装置とマイナスイオン発生装置との全体の製造コストを低減することができる。
【発明を実施するための最良の形態】
【００１３】
次に、発明の実施の形態を説明する。
図１は本発明のマイナスイオン発生装置付画像形成装置の概略側面図、図２は第二実施例のマイナスイオン発生装置付画像形成装置を示す概略側面図、図３は第三実施例のマイナスイオン発生装置付画像形成装置を示す概略側面図である。
【００１４】
まず、図１を用いて画像形成装置の各部の構成について説明する。
画像形成装置４０には、電子写真方式が適用されている。画像形成装置４０の内部には、給紙装置１８より引き出された用紙を搬送するシート給送路１２が形成されている。シート給送路１２の用紙搬送方向における上流側より下流側に沿って、給紙装置１８、現像装置１４、感光装置１５、定着装置１６が設けられている。これらの装置により画像形成装置４０が構成され、用紙１０が前記各装置を経て、用紙１０上に画像形成が行われる。
【００１５】
給紙装置１８は、用紙１０を収納する給紙カセット２５と、給紙カセット２５内の用紙１０を繰り出す給紙ローラ２６とを備えている。給紙ローラ２６は、モータにクラッチを介して駆動伝達可能に接続され、間欠的に駆動されて用紙１０の繰り出しを行う。
【００１６】
現像装置１４は、トナーを収容するトナー室１９と、感光体ドラム２２にトナーを供給する現像ローラ２０と、該現像ローラ２０にトナーを供給する供給ローラ２１とを備えている。
【００１７】
感光装置１５は用紙に接触してトナーを転写する感光体ドラム２２と、感光体ドラム２２に対向して配置されるコロナ放電式転写器１７と、感光体ドラム２２の表面を負帯電させるコロナ放電式帯電器２３と、感光体ドラム２２の表面をクリーニングするメモリ除去ブラシ２９とを備えている。また、感光体ドラム２２の上方には、感光体ドラム２２上に静電潜像を形成する発光体であるＬＥＤ３０が配置される。
【００１８】
コロナ放電式帯電器２３はコロナ放電用ワイヤー３２と、該ワイヤー３２の両端部で該ワイヤー３２を固定する樹脂製の前後ブロックと、該前後ブロックを連結する金属製のシールド板と、前記コロナ放電用ワイヤー３２に電圧を付与する電極により構成されている。前記放電用ワイヤーには高圧電源３５が接続されており、コロナ放電式帯電器２３は該高圧電源３５から高圧電位を得て感光体ドラム２２を負帯電する。
【００１９】
コロナ放電式転写器１７は転写コロナワイヤー３６を接地された金属板３７でシールドした構成としている。該転写コロナワイヤー３６には前記高圧電源３５が接続されており、該高圧電源３５から転写コロナワイヤー３６に高圧電位を印加するとコロナ放電が発生し、用紙１０にトナー・感光体ドラム２２と逆極性の電荷を与え静電気力によってトナー像を転写する。コロナ放電式転写器１７と感光体ドラム２２の間には、金属板に絶縁シートを貼ったガイド板（不図示）を設けており、該ガイド板を用紙１０の通過タイミングに合わせて電磁ソレノイド等で制御して、用紙１０を感光体２２に押し当てるようにしている。
【００２０】
ＬＥＤ３０は、画像形成装置４０に付設の画像読取装置、もしくは通信回線等を経て接続される他の画像形成装置から送信された画像情報に基づいて、感光体ドラム２２を照射して、静電潜像を形成する。
そして、静電潜像に現像ローラ２０よりトナーを供給して、感光体ドラム２２上にトナー画像が形成される。該トナー画像は、感光体ドラム２２とコロナ放電式転写器１７との間で、用紙１０を挟むようにして搬送する際に、コロナ放電式転写器１７に対して所定のバイアス電圧を印加して、トナー画像を用紙に転写させるようにしている。
【００２１】
定着装置１６は、加熱ローラ３と、該加熱ローラ３に対向して配置されるプレスローラ２４とを備えている。
加熱ローラ３内の軸心位置には、加熱ローラ３を加熱するヒータとして、ハロゲンランプ１が内装されている。そして、ハロゲンランプ１にて発生した熱が、金属（アルミニウム）で形成される加熱ローラ３の外周部に伝達されるように構成している。
また、プレスローラ２４は、金属製の芯金軸の外周にシリコンゴム等の材質で形成されるゴムローラ２を配置して構成されている。また、プレスローラ２４は、図示せぬ付勢手段により加熱ローラ３側へ圧接されるようになっている。
そして、加熱ローラ３とプレスローラ２４とにより、トナー像を保持した用紙を、加熱および加圧しながらシート給送路１２に沿って挟持搬送し、トナー像を用紙に定着させるものである。
【００２２】
本発明においては、上記の画像形成装置４０にマイナスイオン発生装置３８を設けたものである。
図１に示すように、マイナスイオン発生装置３８は、画像形成装置４０におけるコロナ放電式の帯電器２３及び転写器１７に高圧電位を印加する高圧電源３５と接続されており、該高圧電源３５からマイナスイオン発生装置３８に高圧電位を印加して、マイナスイオンを発生する構成としている。
【００２３】
マイナスイオン発生装置３８は正極の平板電極４３と負極の針状電極４２から構成されており、該針状電極４２の後端側をコネクタピース４４で支持して、該コネクタピース４４から引き出されたリード線４７を高圧電源３５に接続している。
そして、高圧電源３５から針状電極４２に負の高圧電位を印加すると、針状電極４２の先端部と平板電極４３との間に生じる間隔においてコロナ放電が発生し、針状電極４２から放出された電子が空気分子と衝突してマイナスイオンを発生するのである。
【００２４】
また、マイナスイオン発生装置３８に高圧電位を印加する高圧電源３５は、コロナ放電式帯電器２３におけるコロナ放電用ワイヤー３２とコロナ放電式転写器１７における転写コロナワイヤー３６にそれぞれリード線５０・５１にて接続されており、マイナスイオン発生装置３８用と画像形成装置４０用とで共用化している。
【００２５】
このように、画像形成装置４０に高圧電位を印加する高圧電源３５を、マイナスイオン発生装置３８用の高圧電源３５と共用化したので、マイナスイオン発生装置３８用の高圧電源と画像形成装置用の高圧電源とを別に設ける必要がないためコスト増加を抑えることができる。
【００２６】
なお、上記実施例においては、感光装置１５における帯電器２３及び転写器１７を何れもコロナ放電式に構成したものであるが、帯電器２３もしくは転写器１７の何れか一方のみがコロナ放電式である場合にも、本発明は適用可能である。
即ち、図２に示すように帯電器１２３をローラ帯電式とし、転写器１７のみをコロナ放電式とした場合においても、転写器１７用の高圧電源３５により、マイナスイオン発生装置３８に高圧電位を印加可能である。
また、図３に示すように転写器１１７をローラ帯電式とし、帯電器２３のみをコロナ放電式とした場合においても、帯電器２３用の高圧電源３５により、マイナスイオン発生装置３８に高圧電位を印加可能である。
【００２７】
このように、感光体ドラム２２の表面を負帯電する帯電器、トナー像を転写する転写器の何れか一方をコロナ放電式に構成し、コロナ放電式に構成した帯電器、又は転写器に高圧電位を印加する高圧電源をマイナスイオン発生装置に共用することで、画像形成装置とマイナスイオン発生装置との全体の製造コストの低減を実現することができる。
そして、以上の如く、画像形成装置４０内部にマイナスイオン発生装置３８を設けたので、画像形成装置にマイナスイオン発生装置の機能を付加することができ、画像形成装置を内装するＦＡＸ、複写機、プリンタ、複合機等が主に設置されるオフィス内において、空気清浄効果やオフィス内の従業員等の健康増進を図ることができる。
【図面の簡単な説明】
【００２８】
【図１】本発明のマイナスイオン発生装置付画像形成装置の概略側面図。
【図２】第二実施例のマイナスイオン発生装置付画像形成装置を示す概略側面図。
【図３】第三実施例のマイナスイオン発生装置付画像形成装置を示す概略側面図。
【符号の説明】
【００２９】
１４    現像装置
１５    感光装置
１６    定着装置
１７    コロナ放電式転写器
１８    給紙装置
２２    感光体ドラム
２３    コロナ放電式帯電器
３２    コロナ放電用ワイヤー
３５    高圧電源
３６    転写コロナワイヤー
３７    金属板
３８    マイナスイオン発生装置
４０    画像形成装置
【図１】
2005099505.tif 000003
【図２】
2005099505.tif 000004
【図３】
2005099505.tif 000005